(57)【要約】  【課題】    撮影者の手間がかからず、所望の撮影を行い、高画質な画像を得ることができる撮像装置用のアダプタを提供する。  【解決手段】  撮像素子ユニット１３０が第１の位置及び第２の位置にあるときに、シャッタの駆動に応じて筐体１１０から出力される押圧力を、アダプタ１２０のピン１２１ｂを介して撮像素子ユニット１３０に伝達するので、撮像素子ユニット１３０を第１の位置と第２の位置とのいずれかにセットできるにも関わらず、撮像素子１３１に電力供給を開始させることで、高画質な画像を得ることができ、しかも撮影者の手間はかからず、種々のシーンの撮影が可能となる。【選択図】      図２
2005064670.tif 000002
【特許請求の範囲】
【請求項１】
光学系及びシャッタを有する筐体と、前記光学系により結像された光学像を電気信号に変換する撮像素子を備えた撮像素子ユニットとを連結する撮像装置用アダプタにおいて、
前記撮像装置用アダプタは、前記筐体に取り付けられた状態で、前記撮像素子ユニットを、第１の位置と、前記第１の位置から前記光学系の光軸周りに回転させた第２の位置とのいずれかにセット可能となっており、
前記撮像素子ユニットが前記第１の位置及び前記第２の位置にあるときに、前記シャッタの駆動に応じて前記筐体から出力される信号を、前記アダプタを介して前記撮像素子ユニットに伝達する伝達機構を設けたことを特徴とする撮像装置用アダプタ。
【請求項２】
前記撮像装置用アダプタは、前記筐体に取り付けられる筐体側部と、前記筐体側部に対して回転可能な、前記撮像素子ユニットを取り付けるユニット側部とを有することを特徴とする請求項１に記載の撮像装置用アダプタ。
【請求項３】
前記撮像ユニットが前記第１の位置にあるときに、前記筐体側部と前記ユニット側部との相対回転角度をゼロとすると、前記撮像ユニットが前記第２の位置にあるときに、前記筐体側部と前記ユニット側部との相対回転角度は９０度であることを特徴とする請求項２に記載の撮像装置用アダプタ。
【請求項４】
前記撮像ユニットが前記第１の位置と前記第２の位置の少なくとも一方の位置にあるときに、前記筐体側部と前記ユニット側部との相対回転をロックするロック機構を有することを特徴とする請求項３に記載の撮像装置用アダプタ。
【請求項５】
前記伝達機構は、前記筐体から伝達される押圧力に応じて移動するピンと、前記ピンの移動に応じて揺動する検出片とを有し、
前記撮像ユニットは、前記検出片の揺動に応じて電気信号を出力する単一のセンサを有することを特徴とする請求項１乃至４のいずれかに記載の撮像装置用アダプタ。
【請求項６】
前記検出片は２つあり、前記撮像素子ユニットが前記第１の位置にあるときには、前記ピンの移動に応じて一方の検出片が揺動し、前記撮像素子ユニットが前記第２の位置にあるときには、前記ピンの移動に応じて他方の検出片が揺動することを特徴とする請求項５に記載の撮像装置用アダプタ。
【請求項７】
前記センサが、外部の制御装置に対して出力信号を送信したことに応動し、前記制御装置から前記撮像ユニットに撮影のための電力が供給されるようになっていることを特徴とする請求項５又は６に記載の撮像装置用アダプタ。
【発明の詳細な説明】
【技術分野】
【０００１】
本発明は、撮像装置用アダプタに関し、特にＣＣＤやＣＭＯＳなどの撮像素子を搭載した撮像装置用のアダプタに関する。
【背景技術】
【０００２】
例えば写真館などで使用される中判カメラは、高画質な写真を得ることができる反面、一般的な一眼レフカメラに比べると大きく重いという特徴を有する。従って撮影（撮像ともいう）時には、中判カメラは三脚等を用いて固定されることが多い。ここで、立っている人物を撮影する場合、縦長の画面であれば、被写体の爪先から頭までを撮影画面内に収めることができるが、家族写真などの場合、横長の画面にしないと、各人物の画像が小さくなってしまう。しかるに、撮影者が手で把持するカメラの場合には、縦位置と横位置とを適宜使い分けることで、双方の撮影を行うことができる。これに対し、通常の中判カメラは大きく重いため、三脚等に固定した状態で縦位置と横位置との変更を行うことが多いが、三脚等に固定した状態で、鉛直線に合わせながら縦位置から横位置へ或いはこの逆に変えるという調整作業は困難であり、顧客を待たせる恐れがある。
【０００３】
そこで、筐体は三脚等に取り付けたまま、フィルムパックを縦位置と横位置とに回転できるアダプタを備えたカメラも開発されている。かかるアダプタを備えたカメラによれば、筐体自体は三脚等にしっかり固定されているので、鉛直線のブレ等がなく、ワンタッチで縦位置と横位置との変更を行えるため、顧客の要求に応じた撮影を迅速に行うことが可能となる。
【０００４】
ところで、近年においては、デジタル画像処理技術の発達に伴い、デジタルスチルカメラが急速に発達している。銀塩カメラに対するデジタルスチルカメラの特徴は、モニタを用いることで、撮影したその場ですぐに撮影画像を見ることができるという点である。従って、写真館などにおいても、複数枚撮影した画像を顧客に閲覧させて選択させ、顧客が所望する画像のみをプリントして渡せば、写真館側ではフィルムやプリントの無駄がなくなりコストが削減され、顧客は所望する画像のみを得ることができしかも料金が安くなるという双方のメリットがある。
【０００５】
このような要求に応じ、ビューカメラに対して、高画素ＣＣＤ等を搭載した撮像素子ユニットを取り付けることができるアダプタも開発されている（特許文献１参照）。ところが、そのようなカメラに撮像素子ユニットを取り付け、なおかつ画面の縦位置と横位置との変更を可能とした場合に、以下のごとき問題点が予想される。
【特許文献１】特開平１０−５１６７０号公報
【発明の開示】
【発明が解決しようとする課題】
【０００６】
高画素ＣＣＤを用いて撮像を行う場合、画質を劣化させるノイズなどを排除すべく、撮像直前まで電源の供給を遮断する必要がある。しかしながら、シャッタレリーズ直前に撮影者が、いちいち撮像素子ユニットの電源スイッチをオンするのでは、操作が面倒であり、操作ミスの恐れもある。これに対し、シャッタレリーズの信号を、撮像素子ユニットに伝達することで、撮像素子ユニットの電源供給を自動的に行うことが考えられる。ところが、上述したフィルムパックの場合と同様に、撮像素子ユニットを縦位置と横位置との間で回転させるようにした場合、シャッタレリーズに応じて、筐体側から撮像素子ユニット側へと電源の供給を開始させる信号をどのように送るべきかという問題がある。
【０００７】
本発明は、これらの課題に鑑みてなされたものであり、撮影者の手間がかからず、所望の撮影を行い、高画質な画像を得ることができる撮像装置用のアダプタを提供することを目的とする。
【課題を解決するための手段】
【０００８】
本発明の撮像装置用アダプタは、光学系及びシャッタを有する筐体と、前記光学系により結像された光学像を電気信号に変換する撮像素子を備えた撮像素子ユニットとを連結する撮像装置用アダプタにおいて、前記撮像装置用アダプタは、前記筐体に取り付けられた状態で、前記撮像素子ユニットを、第１の位置と、前記第１の位置から前記光学系の光軸周りに回転させた第２の位置とのいずれかにセット可能となっており、前記撮像素子ユニットが前記第１の位置及び前記第２の位置にあるときに、前記シャッタの駆動に応じて前記筐体から出力される信号を、前記アダプタを介して前記撮像素子ユニットに伝達する伝達機構を設けたので、前記撮像素子ユニットを前記第１の位置と前記第２の位置とのいずれかにセットできるにも関わらず、前記伝達機構により前記撮像素子ユニットに伝達される信号を用いて、前記撮像素子に電力供給を開始させることで、高画質な画像を得ることができ、しかも撮影者の手間はかからず、種々のシーンの撮影が可能となる。尚、「信号」とは機械的な信号に関わらず、電気的な信号でも良い。
【０００９】
更に、前記撮像装置用アダプタは、前記筐体に取り付けられる筐体側部と、前記筐体側部に対して回転可能な、前記撮像素子ユニットを取り付けるユニット側部とを有すると好ましい。
【００１０】
更に、前記撮像ユニットが前記第１の位置にあるときに、前記筐体側部と前記ユニット側部との相対回転角度をゼロとすると、前記撮像ユニットが前記第２の位置にあるときに、前記筐体側部と前記ユニット側部との相対回転角度は９０度であると、縦位置と横位置の撮影が可能となるので好ましい。
【００１１】
更に、前記撮像ユニットが前記第１の位置と前記第２の位置の少なくとも一方の位置にあるときに、前記筐体側部と前記ユニット側部との相対回転をロックするロック機構を有すると、撮像中の不用意な回転などが抑制されるため好ましい。
【００１２】
更に、前記伝達機構は、前記筐体から伝達される押圧力に応じて移動するピンと、前記ピンの移動に応じて揺動する検出片とを有し、前記撮像ユニットは、前記検出片の揺動に応じて電気信号を出力する単一のセンサを有すると好ましい。
【００１３】
更に、前記検出片は２つあり、前記撮像素子ユニットが前記第１の位置にあるときには、前記ピンの移動に応じて一方の検出片が揺動し、前記撮像素子ユニットが前記第２の位置にあるときには、前記ピンの移動に応じて他方の検出片が揺動すると好ましい。
【００１４】
更に、前記センサが、外部の制御装置に対して出力信号を送信したことに応動し、前記制御装置から前記撮像ユニットに撮影のための電力が供給されるようになっていると好ましい。
【発明の効果】
【００１５】
本発明によれば、撮影者の手間がかからず、所望の撮影を行い、高画質な画像を得ることができる撮像装置用のアダプタを提供することができる。
【発明を実施するための最良の形態】
【００１６】
以下、本発明の実施の形態を図面を用いて説明する。図１は、本実施の形態における撮像装置１００の斜視図である。撮像装置１００は、前面に光学系１１１を取り付けた筐体１１０と、筐体１１０の背面に取り付けられたアダプタ１２０と、アダプタ１２０の背面に取り付けられた撮像素子ユニット１３０とを有している。
【００１７】
筐体１１０は、側面にレリーズレバー１１２を有している。レリーズレバー１１２は、筐体１１０に対して枢動可能となっており、矢印の方向に枢動させることで、光学系１１１内に組み込まれたシャッタ（不図示）を駆動するようになっている。シャッタの構成については良く知られているので、その説明は省略する。
【００１８】
更に筐体１１０内において、レリーズレバー１１２に連結された凸部１１２ａは、プッシュロッド１１２ｂに連結されており、レリーズレバー１１２を矢印の方向に枢動させると、凸部１１２ａがプッシュロッド１１２ｂを背面側に向かって押圧するようになっている。即ち、シャッタレリーズに応動して、プッシュロッド１１２ｂが移動するようになっている。
【００１９】
図２は、本実施の形態にかかるアダプタの斜視図であり、図で下方が筐体（不図示）側となっている。図２において、アダプタ１２０は、筐体１１０の背面に取り付けられる筐体側部１２１と、撮像素子ユニット１３０を取り付けるユニット側部１２２とを有している。筐体側部１２１と、ユニット側部１２２とは、それぞれ矩形板状であり、ユニット側部１２２が筐体側部１２１の中央円筒部１２１ａに嵌合することで、両者は相対回転可能となっている。
【００２０】
中央円筒部１２１ａは、外周に９０度位相で２つの切欠１２１ｃ、１２１ｄを有しており、ユニット側部１２２は、切欠１２１ｃ、１２１ｄに係合する係合片１２１ｇを有している。係合片１２１ｇは、コイルバネ１２１ｈにより切欠に向かって付勢されている。ユニット側部１２２は、筐体側部１２１に対して、係合片１２１ｇが切欠１２１ｃに係合した位置（図２に示す第１の位置）から切欠１２１ｄに係合した位置（図２に示す第１の位置から撮像ユニット１３０が９０度回転した第２の位置）まで回転でき、それ以上の回転は阻止されるようになっている。係合片１２１ｇ、コイルバネ１２１ｈ、切欠１２１ｃ、１２１ｄがロック機構を構成するが、ロック機構がこのタイプに限られないことは言うまでもない。
【００２１】
筐体側部１２１は、図２で上下に貫通した開口内１２１ａ内に、進退自在に配置されたピン１２１ｂを配置している。伝達機構を構成するピン１２１ｂの先端は、筐体１１０から延在するプッシュロッド１１２ｂの先端に当接しており、それと一体的に移動するようになっている。
【００２２】
開口１２１ａは、ユニット側部１２２の図で上面に形成された略Ｚ字状の溝１２２ａに連通している。溝１２２ａ内には、枢軸１２２ｂに対して揺動自在となっている第１の検出片１２２ｃが配置されている。第１の検出片１２２ｃは、その先端に板材を折り曲げて形成された反射部１２２ｆを有し、枢軸１２２ｂ周囲に配置された巻きばね１２２ｄにより、溝１２２ａの底部に向かって押圧されている。
【００２３】
更に、溝１２２ａに対して９０度位相で、ユニット側部１２２の図で上面に略Ｚ字状の溝１２２ａ’が形成されている。溝１２２ａ’内には、枢軸１２２ｂ’に対して揺動自在となっている第２の検出片１２２ｃ’が配置されている。第２の検出片１２２ｃ’は、その先端に板材を折り曲げて形成された反射部１２２ｆ’を有し、枢軸１２２ｂ’周囲に配置された巻きばね１２２ｄ’により、溝１２２ａ’の底部に向かって押圧されている。
【００２４】
ユニット側部１２２の図で上面に配置された金具１２３，１２４により、撮像ユニット１３０は取り付けられる。取り付けられた状態で、撮像ユニット１３０は、反射部１２２ｆに対応した位置にスリット１３０ａを有し、それに近接して光センサ１３０ｂを有している。光センサ１３０ｂは、常時光を投射しており、スリット１３０ａから反射部１２２ｆ又は１２２ｆ’が差し込まれたとき、それより反射した光を受光することで、検出信号を出力するようになっている。
【００２５】
撮像ユニット１３０は、内部に光学系１１１（図示）により結像された光学像を電気信号に変換するＣＣＤ又はＣＭＯＳの撮像素子１３１を有している。撮像素子１３１は、ＵＳＢ等のインタフェース１３２を有し、かかるインタフェース１３２を介して外部のパソコンＰＣ（図１）より電力を供給され、且つ撮像によって得られた電気信号を、外部のパソコンＰＣへと出力するようになっている。又、光センサ１３０ｂの信号も、インタフェース１３２を介して、外部のパソコンＰＣに送信される。ユーザーは、パソコンＰＣに搭載されたハードディスクに電気信号（画像信号）を保存し、かかるパソコンＰＣのモニタで、撮像により得られた画像を閲覧することができる。
【００２６】
次に、本実施の形態の動作について説明する。撮影前の状態では、ノイズ等を防止するために撮像ユニット１３０の撮像素子１３１には、電力が供給されていない状態にある。ここで、図１に示す撮像装置１００の光学系１１１を被写体に向け、撮影者がレリーズレバー１１２を押し下げると、凸部１１２ａがプッシュロッド１１２ｂを押す。図２において、プッシュロッド１１２ｂが移動すると、ピン１２１ｂを押し上げるので、ピン１２１ｂは第１の検出片１２２ｃを揺動させ、反射部１２２ｆが撮像ユニット１３０のスリット１３０ａ内に侵入する。スリット１３０ａへの反射部１２２ｆの侵入により、光センサ１３０ｂはその反射光を受光して、インタフェース１３２を介して外部のパソコンＰＣに検出信号を送信する。
【００２７】
検出信号を受信したパソコンＰＣは、インタフェース１３２を介して、撮像ユニット１３０の撮像素子１３１に電力を供給する。撮像素子１３１は、不図示のシャッタが駆動されることで光学系１１１を介して受光面に結像された光学像を電気信号に変換し、インタフェース１３２を介して外部のパソコンＰＣに送信する。パソコンＰＣは、それに応じて撮像素子１３１への電力供給を停止する。レリーズレバー１１２（図１）が復帰すれば、プッシュロッド１１２ｂが元に戻るため、ピン１２１ｂの押圧力が消滅するので、第１の検出片１２２ｃは巻きばね１２２ｄの付勢力により溝１２２ａの底部に押しつけられ、スリット１３０ａより反射部１２２ｆが抜き出される。ピン１２１ｂは、プッシュロッド１１２ｂから押されない限り、ユニット側部１２２内に突出しないので、筐体側部１２１とユニット側部１２２との相対回転を邪魔することはない。
【００２８】
撮影者はシーンに応じて、撮像ユニット１３０をユニット側部１２２と一体で、図２に示す第１の状態（例えば縦位置）から９０度回転した第２の状態（例えば横位置）へと回転させることができる。このとき、撮影者が回転力を付与することで、係合片１２１ｇが、コイルバネ１２１ｈの付勢力に抗して切欠１２１ｃから抜け出て、更に９０度回転した位置で切欠１２１ｄに係合することで、ロックが行われる。
【００２９】
撮像ユニット１３０を９０度回転させた位置では、そのスリット１３０ａに、第２の検出片１２２ｃ’が対向する。従って、レリーズレバー１１２の操作に応じて移動するピン１２１ｂにより、第２の検出片１２２ｃ’が揺動して、その反射部１２２ｆ’がスリット１３０ａ内に侵入するので、光センサ１３０ｂはその反射光を受光して、インタフェース１３２を介して外部のパソコンＰＣに検出信号を送信する。それにより外部のパソコンＰＣは、インタフェース１３２を介して、撮像ユニット１３０の撮像素子１３１に電力を供給するため、上述と同様に適切な撮像が可能となる。
【００３０】
以上、本発明を実施の形態を参照して説明してきたが、本発明は上記実施の形態に限定して解釈されるべきではなく、適宜変更・改良が可能であることはもちろんである。本発明の撮像装置は、中判カメラに限らず、一眼レフ等各種の電子カメラに適用可能である。
【図面の簡単な説明】
【００３１】
【図１】本実施の形態における撮像装置１００の斜視図である。
【図２】本実施の形態にかかるアダプタの斜視図である。
【符号の説明】
【００３２】
１００  撮像装置
１１０  筐体
１１２  レリーズレバー
１２０  アダプタ
１３０  撮像ユニット
１３１  撮像素子
【図１】
2005064670.tif 000003
【図２】
2005064670.tif 000004